(57)【特許請求の範囲】
【請求項１】
車両への装着の向きが指定された空気入りタイヤであって、
トレッド部に、タイヤ赤道の両側でタイヤ周方向に連続してのびる一対のセンター縦溝と、その両外側をタイヤ周方向に連続してのびるショルダー縦溝とが設けられ、
前記センター縦溝は、車両装着時に車両外側に位置する外側センター縦溝と、車両内側に位置する内側センター縦溝とからなり、かつ
前記ショルダー縦溝は、前記外側センター縦溝の車両外側に配された外側ショルダー縦溝と、前記内側センター縦溝の車両内側に配された内側ショルダー縦溝とからなり、
しかも、前記トレッド部は、前記一対のセンター縦溝で区分されるセンター陸部、
前記外側センター縦溝と前記外側ショルダー縦溝とで区分された外側ミドル陸部と、前記内側センター縦溝と前記内側ショルダー縦溝とで区分された内側ミドル陸部とからなる一対のミドル陸部、及び
前記外側ショルダー縦溝の車両外側に形成された外側ショルダー陸部と、前記内側ショルダー縦溝の車両内側に形成された内側ショルダー陸部とからなる一対のショルダー陸部に区分され、
前記外側ショルダー陸部は、車両外側のトレッド接地端から車両内側にのび、かつ前記外側ショルダー陸部を横切る外側ショルダー横溝が設けられるとともに、
前記外側ショルダー陸部は、前記外側ショルダー横溝によって区分される外側ショルダーブロックがタイヤ周方向に隔設され、
前記内側ショルダー陸部は、車両内側のトレッド接地端より車両外側に距離を隔てた内端から車両外側にのび、かつ該内側ショルダー陸部内に車両外側の外端を有して終端する内側ショルダー横溝と、
タイヤ周方向で隣り合う前記内側ショルダー横溝間に、車両内側のトレッド接地端より車両外側に距離を隔てた内端から車両外側にのび、かつ該内側ショルダー陸部内に車両外側の外端を有して終端する内側ショルダー補助溝とが設けられ、
前記内側ミドル陸部は、幅方向の中心よりも車両内側でタイヤ周方向に連続してのびる内側ミドル副溝、及び
該内側ミドル副溝と内側センター縦溝との間をタイヤ周方向に対して傾斜してのびる内側ミドルサイプが設けられることを特徴とする空気入りタイヤ。
【請求項２】
前記内側ミドルサイプは、前記内側センター縦溝から前記内側ミドル副溝に向かって、タイヤ周方向に対する角度が漸増する請求項１に記載の空気入りタイヤ。
【請求項３】
前記内側ミドル陸部は、タイヤ周方向に隣り合う前記内側ミドルサイプ間に、前記内側センター縦溝から車両内側にのび、かつ前記内側ミドル副溝に至ることなく終端する内側ミドルスロットが設けられる請求項１又は２に記載の空気入りタイヤ。
【請求項４】
前記外側ショルダー陸部は、タイヤ周方向に隣り合う前記外側ショルダー横溝間に、車両外側のトレッド接地端から車両内側にのび、前記外側ショルダー縦溝に至ることなく終端する外側ショルダーサイプが設けられる請求項１乃至３のいずれかに記載の空気入りタイヤ。
【請求項５】
前記外側ショルダー横溝は、前記外側ミドル陸部に車両内側の内端を有して終端する請求項１乃至４のいずれかに記載の空気入りタイヤ。
【請求項６】
前記トレッド部には、前記外側ミドル陸部に設けられた車両外側の外端から車両内側にのび、かつ前記センター陸部内に車両内側の内端を有して終端する外側ミドル横溝が設けられ、
前記外側ショルダー横溝の前記内端と、前記外側ミドル横溝の前記外端とはタイヤ周方向に位置ずれして設けられるとともに、
前記外側ミドル陸部には、前記外側ショルダー横溝の前記内端と、前記外側ミドル横溝の前記外端とを繋ぎ、かつ前記外側ショルダー横溝及び外側ミドル横溝よりも溝幅が小さい外側ミドル細溝が設けられる請求項５に記載の空気入りタイヤ。
【発明の詳細な説明】
【技術分野】
【０００１】
本発明は、ドライ路面での操縦安定性能を維持しつつ、排水性能、雪上性能及び氷上性能を向上しうる空気入りタイヤに関する。
【背景技術】
【０００２】
ドライ路面のみならず氷雪路等での走行性能をも高めた空気入りタイヤ（オールシーズンタイヤとも呼ばれる）が知られている。この種のタイヤでは、トレッド部に、タイヤ周方向にのびる縦溝、及びタイヤ軸方向にのびる横溝によって区分されるブロックが複数配置される。このような縦溝及び横溝は、路面との間に介在する水膜を円滑に排出しうるとともに、雪路中に食い込んで雪柱せん断力を得ることができ、排水性能及び雪上性能を向上しうる。
【０００３】
また、ブロックには、例えばタイヤ軸方向にのびるサイプが設けられる。このようなサイプは、そのエッジにより、氷路において大きな摩擦力を得ることができ、氷上性能を向上しうる。関連する技術としては、次のものがある。
【先行技術文献】
【特許文献】
【０００４】
【特許文献１】特開２００８−６９８７号公報
【発明の概要】
【発明が解決しようとする課題】
【０００５】
しかしながら、上記のような縦溝、横溝、及びサイプを単にトレッド部に設けただけでは、トレッド部の横剛性が小さくなりやすく、ドライ路面での操縦安定性能が低下するという問題があった。
【０００６】
本発明は、以上のような実状に鑑み案出されたもので、外側ショルダー陸部、内側ショルダー陸部、及び内側ミドル陸部に設けられる横溝及びサイプ等を改善することを基本として、ドライ路面での操縦安定性能を維持しつつ、排水性能、雪上性能及び氷上性能を向上しうる空気入りタイヤを提供することを主たる目的としている。
【課題を解決するための手段】
【０００７】
本発明のうち請求項１記載の発明は、車両への装着の向きが指定された空気入りタイヤであって、トレッド部に、タイヤ赤道の両側でタイヤ周方向に連続してのびる一対のセンター縦溝と、その両外側をタイヤ周方向に連続してのびるショルダー縦溝とが設けられ、前記センター縦溝は、車両装着時に車両外側に位置する外側センター縦溝と、車両内側に位置する内側センター縦溝とからなり、かつ前記ショルダー縦溝は、前記外側センター縦溝の車両外側に配された外側ショルダー縦溝と、前記内側センター縦溝の車両内側に配された内側ショルダー縦溝とからなり、しかも、前記トレッド部は、前記一対のセンター縦溝で区分されるセンター陸部、前記外側センター縦溝と前記外側ショルダー縦溝とで区分された外側ミドル陸部と、前記内側センター縦溝と前記内側ショルダー縦溝とで区分された内側ミドル陸部とからなる一対のミドル陸部、及び前記外側ショルダー縦溝の車両外側に形成された外側ショルダー陸部と、前記内側ショルダー縦溝の車両内側に形成された内側ショルダー陸部とからなる一対のショルダー陸部に区分され、前記外側ショルダー陸部は、車両外側のトレッド接地端から車両内側にのび、かつ前記外側ショルダー陸部を横切る外側ショルダー横溝が設けられるとともに、前記外側ショルダー陸部は、前記外側ショルダー横溝によって区分される外側ショルダーブロックがタイヤ周方向に隔設され、前記内側ショルダー陸部は、車両内側のトレッド接地端より車両外側に距離を隔てた内端から車両外側にのび、かつ該内側ショルダー陸部内に車両外側の外端を有して終端する内側ショルダー横溝と、タイヤ周方向で隣り合う前記内側ショルダー横溝間に、車両内側のトレッド接地端より車両外側に距離を隔てた内端から車両外側にのび、かつ該内側ショルダー陸部内に車両外側の外端を有して終端する内側ショルダー補助溝とが設けられ、前記内側ミドル陸部は、幅方向の中心よりも車両内側でタイヤ周方向に連続してのびる内側ミドル副溝、及び該内側ミドル副溝と内側センター縦溝との間をタイヤ周方向に対して傾斜してのびる内側ミドルサイプが設けられることを特徴とする。
【０００８】
また、請求項２記載の発明は、前記内側ミドルサイプは、前記内側センター縦溝から前記内側ミドル副溝に向かって、タイヤ周方向に対する角度が漸増する請求項１に記載の空気入りタイヤである。
【０００９】
また、請求項３記載の発明は、前記内側ミドル陸部は、タイヤ周方向に隣り合う前記内側ミドルサイプ間に、前記内側センター縦溝から車両内側にのび、かつ前記内側ミドル副溝に至ることなく終端する内側ミドルスロットが設けられる請求項１又は２に記載の空気入りタイヤである。
【００１０】
また、請求項４記載の発明は、前記外側ショルダー陸部は、タイヤ周方向に隣り合う前記外側ショルダー横溝間に、車両外側のトレッド接地端から車両内側にのび、前記外側ショルダー縦溝に至ることなく終端する外側ショルダーサイプが設けられる請求項１乃至３のいずれかに記載の空気入りタイヤである。
【００１１】
また、請求項５記載の発明は、前記外側ショルダー横溝は、前記外側ミドル陸部に車両内側の内端を有して終端する請求項１乃至４のいずれかに記載の空気入りタイヤである。
【００１２】
また、請求項６記載の発明は、前記トレッド部には、前記外側ミドル陸部に設けられた車両外側の外端から車両内側にのび、かつ前記センター陸部内に車両内側の内端を有して終端する外側ミドル横溝が設けられ、前記外側ショルダー横溝の前記内端と、前記外側ミドル横溝の前記外端とはタイヤ周方向に位置ずれして設けられるとともに、前記外側ミドル陸部には、前記外側ショルダー横溝の前記内端と、前記外側ミドル横溝の前記外端とを繋ぎ、かつ前記外側ショルダー横溝及び外側ミドル横溝よりも溝幅が小さい外側ミドル細溝が設けられる請求項５に記載の空気入りタイヤである。
【００１３】
なお、本明細書では、特に断りがない限り、タイヤの各部の寸法は、正規リムにリム組みされかつ正規内圧が充填された無負荷の正規状態において特定される値とする。
【００１４】
前記「正規リム」とは、タイヤが基づいている規格を含む規格体系において、当該規格がタイヤ毎に定めるリムであり、例えばＪＡＴＭＡであれば標準リム、ＴＲＡであれば "Design Rim" 、或いはＥＴＲＴＯであれば "Measuring Rim"を意味する。
【００１５】
前記「正規内圧」とは、前記規格がタイヤ毎に定めている空気圧であり、ＪＡＴＭＡであれば最高空気圧、ＴＲＡであれば表 "TIRE LOAD LIMITS AT VARIOUS COLD INFLATION PRESSURES" に記載の最大値、ＥＴＲＴＯであれば "INFLATION PRESSURE" とするが、乗用車用タイヤの場合には１８０ｋＰａとする。
【発明の効果】
【００１６】
本発明の空気入りタイヤは、車両への装着の向きが指定されるもので、そのトレッド部には、タイヤ赤道の両側でタイヤ周方向に連続してのびる一対のセンター縦溝と、その両外側をタイヤ周方向に連続してのびるショルダー縦溝とが設けられる。
【００１７】
前記センター縦溝は、車両装着時に車両外側に位置する外側センター縦溝と、車両内側に位置する内側センター縦溝とからなる。また、ショルダー縦溝は、外側センター縦溝の車両外側に配された外側ショルダー縦溝と、内側センター縦溝の車両内側に配された内側ショルダー縦溝とからなる。
【００１８】
さらに、トレッド部は、一対のセンター縦溝で区分されるセンター陸部、外側センター縦溝と外側ショルダー縦溝とで区分された外側ミドル陸部と、内側センター縦溝と内側ショルダー縦溝とで区分された内側ミドル陸部とからなる一対のミドル陸部、及び外側ショルダー縦溝の車両外側に形成された外側ショルダー陸部と、内側ショルダー縦溝の車両内側に形成された内側ショルダー陸部とからなる一対のショルダー陸部に区分される。
【００１９】
前記外側ショルダー陸部は、車両外側のトレッド接地端から車両内側にのび、かつ前記外側ショルダー陸部を横切る外側ショルダー横溝が設けられる。また、外側ショルダー陸部は、外側ショルダー横溝によって区分される外側ショルダーブロックがタイヤ周方向に隔設される。このような外側ショルダー陸部は、接地圧が大きくなる旋回時において、外側ショルダー横溝が、路面との間の水膜を円滑に排出しうるとともに、雪路中に食い込んで雪柱せん断力を得ることができ、排水性能及び雪上性能を向上しうる。
【００２０】
また、内側ショルダー陸部は、車両内側のトレッド接地端より車両外側に距離を隔てた内端から車両外側にのび、かつ該内側ショルダー陸部内に車両外側の外端を有して終端する内側ショルダー横溝と、タイヤ周方向で隣り合う前記内側ショルダー横溝間に、車両内側のトレッド接地端より車両外側に距離を隔てた内端から車両外側に傾斜してのび、かつ内側ショルダー陸部内に車両外側の外端を有して終端する内側ショルダー補助溝とが設けられる。
【００２１】
このような内側ショルダー横溝は、内側ショルダー陸部と路面との間の水膜を円滑に排出でき、排水性能を向上しうるとともに、雪路中に食い込んで雪柱せん断力を得ることができ、排水性能、及び雪上性能を向上しうる。また、内側ショルダー補助溝は、タイヤ軸方向のエッジにより、氷路において大きな摩擦力を得ることができ、氷上性能を向上しうる。さらに、内側ショルダー横溝及び内側ショルダー補助溝は、トレッド接地端及び内側ショルダー縦溝に連通しないため、内側ショルダー陸部を横剛性の高いストレートリブに形成でき、ドライ路面での操縦安定性能を向上しうる。
【００２２】
また、内側ミドル陸部は、幅方向の中心よりも車両内側でタイヤ周方向に連続してのびる内側ミドル副溝、及び該内側ミドル副溝と内側センター縦溝との間をタイヤ周方向に対して傾斜してのびる内側ミドルサイプが設けられる。
【００２３】
このような内側ミドル副溝は、内側ミドル陸部と路面との間の水膜を円滑に排出でき、排水性能を向上しうる。また、内側ミドル副溝及び内側ミドルサイプは、タイヤ周方向及びタイヤ軸方向のエッジ成分を発揮でき、氷上性能を向上しうる。さらに、内側ミドル陸部は、内側ミドル副溝の車両内側に、内側ミドルサイプが形成されないため、その横剛性を確保でき、ドライ路面での操縦安定性能を向上しうる。
【図面の簡単な説明】
【００２４】
【図１】本実施形態の空気入りタイヤを示すトレッド部の展開図である。
【図２】図１のＡ−Ａ断面図である。
【図３】図１の車両外側の拡大図である。
【図４】図１の車両内側の拡大図である。
【図５】（ａ）は比較例１のトレッド部の展開図、（ｂ）は比較例２のトレッド部の展開図、（ｃ）は比較例３のトレッド部の展開図である。
【発明を実施するための形態】
【００２５】
以下、本発明の実施の一形態が図面に基づき説明される。
図１に示されるように、本実施形態の空気入りタイヤ（以下、単に「タイヤ」ということがある）１は、例えば、ドライ路面のみならず氷雪路等での走行性能をも高めた所謂オールシーズンタイヤとして構成される。
【００２６】
このタイヤ１のトレッド部２には、タイヤ赤道Ｃの両側でタイヤ周方向に連続してのびる一対のセンター縦溝３と、その両外側をタイヤ周方向に連続してのびるショルダー縦溝４とが設けられる。さらに、トレッド部２には、これらのセンター縦溝３及びショルダー縦溝４を交わる向きにのび、かつタイヤ周方向に隔設される横溝５が設けられる。
【００２７】
前記センター縦溝３は、車両装着時に車両外側に位置する外側センター縦溝３Ａと、車両内側に位置する内側センター縦溝３Ｂとからなる。一方、前記ショルダー縦溝４は、外側センター縦溝３Ａの車両外側に配された外側ショルダー縦溝４Ａと、内側センター縦溝３Ｂの車両内側に配された内側ショルダー縦溝４Ｂとからなる。
【００２８】
これにより、トレッド部２は、一対のセンター縦溝３Ａ、３Ｂで区分されるセンター陸部６、外側センター縦溝３Ａと外側ショルダー縦溝４Ａとで区分される外側ミドル陸部７Ａ、内側センター縦溝３Ｂと内側ショルダー縦溝４Ｂとで区分された内側ミドル陸部７Ｂ、外側ショルダー縦溝４Ａの車両外側に形成される外側ショルダー陸部８Ａ、及び内側ショルダー縦溝４Ｂの車両内側に形成された内側ショルダー陸部８Ｂが設けられる。
【００２９】
前記外側センター縦溝３Ａ及び内側センター縦溝３Ｂは、タイヤ周方向に直線状にのびるストレート溝として形成される。このような外側センター縦溝３Ａ及び内側センター縦溝３Ｂは、タイヤ赤道Ｃ近傍のトレッド部２と路面との間の水膜をタイヤ周方向に円滑に案内しうるとともに、雪路中に食い込んで雪柱せん断力を得ることができ、排水性能及び雪上性能を向上しうる。好ましくは、外側センター縦溝３Ａ及び内側センター縦溝３Ｂの溝幅Ｗ１ａ、Ｗ１ｂがトレッド接地端２ｔ、２ｔ間のタイヤ軸方向の距離であるトレッド接地幅ＴＷの４〜１０％程度、最大溝深さＤ１ａ、Ｄ１ｂ（図２に示す）が６〜１０mm程度が望ましい。
【００３０】
本明細書において、前記「トレッド接地端２ｔ」とは、前記正規リムにリム組みしかつ前記正規内圧を充填した状態のタイヤ１に、正規荷重を負荷してキャンバー角０度にて平坦面に接地させたときのトレッド接地面のタイヤ軸方向の最外端とする。
【００３１】
前記「正規荷重」とは、前記規格がタイヤ毎に定めている荷重であり、ＪＡＴＭＡであれば最大負荷能力、ＴＲＡであれば表 "TIRE LOAD LIMITS AT VARIOUS COLD INFLATION PRESSURES" に記載の最大値、ＥＴＲＴＯであれば "LOAD CAPACITY"である。
【００３２】
また、本実施形態では、外側センター縦溝３Ａの溝幅Ｗ１ａが、内側センター縦溝３Ｂの溝幅Ｗ１ｂよりも大に設定される。これにより、外側センター縦溝３Ａは、直進時、及び車両外側のトレッド部２の接地圧が大きくなる旋回時において、排水性能及び雪上性能を向上しうる。好ましくは、外側センター縦溝３Ａの溝幅Ｗ１ａと内側センター縦溝３Ｂの溝幅Ｗ１ｂとの比（Ｗ１ａ／Ｗ１ｂ）は、１０５〜１２０％が望ましい。
【００３３】
前記外側ショルダー縦溝４Ａ及び内側ショルダー縦溝４Ｂも、ストレート溝として形成され、排水性能及び雪上性能を向上しうる。好ましくは、外側ショルダー縦溝４Ａ及び内側ショルダー縦溝４Ｂの溝幅Ｗ１ｃ、Ｗ１ｄが、前記トレッド接地幅ＴＷの３〜８％程度、最大溝深さＤ１ｃ、Ｄ１ｄ（図２に示す）が６〜１０mm程度が望ましい。
【００３４】
さらに、外側ショルダー縦溝４Ａの溝幅Ｗ１ｃは、一対のセンター縦溝３Ａ、３Ｂの溝幅Ｗ１ａ、Ｗ１ｂ、及び内側ショルダー縦溝４Ｂの溝幅Ｗ１ｄよりも小に設定される。これにより、車両外側のトレッド部２のランド比を確実に大きくすることができ、操縦安定性能及び耐摩耗性能を向上しうる。好ましくは、外側ショルダー縦溝４Ａの溝幅Ｗ１ｃと外側センター縦溝３Ａの溝幅Ｗ１ａとの比（Ｗ１ｃ／Ｗ１ａ）は、３０〜７０％が望ましい。
【００３５】
前記横溝５は、図３に拡大して示されるように、車両外側のトレッド接地端２ｔから外側ショルダー陸部８Ａを横切って車両内側にのび、かつ外側ミドル陸部７Ａに車両内側の内端５Ａｉを有して終端する外側ショルダー横溝５Ａと、外側ミドル陸部７Ａに設けられた車両外側の外端５Ｂｏから車両内側にのび、かつタイヤ赤道Ｃを超えてセンター陸部６内に車両内側の内端５Ｂｉを有して終端する外側ミドル横溝５Ｂとを含む。
【００３６】
このような外側ショルダー横溝５Ａ及び外側ミドル横溝５Ｂは、タイヤ赤道Ｃ近傍や車両外側のトレッド部２と路面との間の水膜をタイヤ軸方向外側に円滑に案内しうるとともに、雪路中に食い込んで雪柱せん断力を得ることができる。好ましくは、外側ショルダー横溝５Ａ及び外側ミドル横溝５Ｂの溝幅Ｗ２、Ｗ３がトレッド接地幅ＴＷの１〜４％程度、溝深さＤ２、Ｄ３（図２に示す）が６〜１０mm程度が望ましい。
【００３７】
また、外側ショルダー横溝５Ａの内端５Ａｉは、外側ミドル横溝５Ｂの外端５Ｂｏとタイヤ周方向に位置ずれして設けられる。さらに、外側ショルダー横溝５Ａの内端５Ａｉは、外側ミドル横溝５Ｂの外端５Ｂｏよりも車両外側に配される。
【００３８】
このような外側ショルダー横溝５Ａ及び外側ミドル横溝５Ｂは、外側ミドル陸部７Ａの剛性低下を防ぐことができ、操縦安定性能及び耐摩耗性能を向上しうる。好ましくは、外側ショルダー横溝５Ａの内端５Ａｉと外側ミドル横溝５Ｂの外端５Ｂｏとのタイヤ周方向の距離Ｌ１ａは、５〜１０mmが望ましく、タイヤ軸方向の距離Ｌ１ｂは、２〜５mmが望ましい。ここで、前記距離Ｌ１ａ、Ｌ１ｂは、各外側ショルダー横溝５Ａ及び外側ミドル横溝５Ｂの溝中心線５Ａｃ、５Ｂｃ上で測定されるものとする。
【００３９】
なお、前記距離Ｌ１ａが５mm未満であると、外側ショルダー横溝５Ａの内端５Ａｉと外側ミドル横溝５Ｂの外端５Ｂｏとの間の陸部剛性が低下し、この部分にゴム欠け等が生じやすい。逆に、前記距離Ｌ１ａが１０mmを超えると、外側ショルダー横溝５Ａ及び外側ミドル横溝５Ｂがタイヤ周方向に過度に離間するため、排水性能を十分に維持できないおそれがある。このような観点より、前記距離Ｌ１ａは、より好ましくは６mm以上が望ましく、より好ましくは９mm以下が望ましい。同様に、前記距離Ｌ１ｂは、より好ましくは３mm以上が望ましく、また、より好ましくは４mm以下が望ましい。
【００４０】
また、本実施形態の外側ショルダー横溝５Ａは、図１に示されるように、タイヤ周方向に対して、６０〜９０度の角度α１ａで漸増させながら滑らかに湾曲してのびる。このような外側ショルダー横溝５Ａは、外側ショルダー陸部８Ａの横剛性を確保でき、ドライ路面での操縦安定性能を向上しうる。
【００４１】
さらに、外側ショルダー横溝５Ａには、図２及び図３に示されるように、外側ショルダー縦溝４Ａの両側に、溝底５Ａｂが隆起することにより溝深さＤ２が減じられたタイバー９ａ、９ｂが設けられる。このようなタイバー９ａ、９ｂは、偏摩耗が生じがちな外側ミドル陸部７Ａの車両外側、及び外側ショルダー陸部８Ａの車両内側において、周方向の剛性段差を小さくでき、耐偏摩耗性能、及び耐摩耗性能を向上しうる。好ましくは、タイバー９ａ、９ｂのタイヤ軸方向の長さＬ２ａ、Ｌ２ｂが２〜１４mm、溝底５Ａｂからの高さＨ２ａ、Ｈ２ｂが２〜６mmが望ましい。
【００４２】
また、外側ショルダー横溝５Ａの車両内側の内端５Ａｉでの溝深さＤ２ｉは、タイバー９が設けられる外側ショルダー縦溝４Ａ側での溝深さＤ２ｏよりも大に形成されるのが望ましい。これにより、外側ショルダー横溝５Ａは、外側ミドル陸部７Ａにおいて、上記のようなタイバー９ｂによって減じられがちな溝容積を確保でき、排水性能及び雪上性能を向上しうる。好ましくは、前記内端５Ａｉでの溝深さＤ２ｉと前記外側ショルダー縦溝４Ａ側での溝深さＤ２ｏとの比（Ｄ２ｉ／Ｄ２ｏ）は、１５０〜２００％が望ましい。
【００４３】
本実施形態の外側ミドル横溝５Ｂは、図１に示されるように、タイヤ周方向に対する角度α１ｂを漸増させながら滑らかに湾曲してのびる。さらに、外側ミドル横溝５Ｂのタイヤ周方向に対する角度α１ｂは、例えば５０〜７０度に設定され、外側ショルダー横溝５Ａの角度α１ａよりも小に設定される。このような外側ミドル横溝５Ｂは、センター陸部６及び外側ミドル陸部７Ａのタイヤ周方向の剛性を確保でき、直進安定性能を向上しうる。
【００４４】
また、外側ミドル横溝５Ｂは、図２及び図３に示されるように、外側センター縦溝３Ａから内端５Ｂｉにかけて、溝幅Ｗ３、及び溝深さＤ３が漸減している。このような外側ミドル横溝５Ｂは、直進走行時に接地圧が大きくなるタイヤ赤道Ｃ側の剛性を確保でき、直進安定性能をさらに向上しうる。
【００４５】
さらに、外側ミドル横溝５Ｂは、外側センター縦溝３Ａの車両外側に、溝底５Ｂｂが隆起することにより溝深さＤ３が減じられたタイバー９ｃが設けられる。このようなタイバー９ｃは、外側ミドル陸部７Ａの車両内側の周方向の剛性段差を小さくでき、耐偏摩耗性能を向上しうる。好ましくは、タイバー９ｃのタイヤ軸方向の長さＬ２ｃ、及び高さＨ２ｃは、外側ショルダー横溝５Ａのタイバー９ｃの長さＬ２ａ、Ｌ２ｂ、及び高さＨ２ａ、Ｈ２ｂとそれぞれ同一の範囲が望ましい。
【００４６】
図１に示されるように、前記センター陸部６は、タイヤ赤道Ｃ上をタイヤ周方向に途切れることなく直線状にのびるストレートリブからなる。このようなセンター陸部６は、その周方向剛性を高めることができ、直進安定性能を向上しうる。好ましくは、センター陸部６の陸部幅Ｗ３ａは、トレッド接地幅ＴＷの８〜１５％程度が望ましい。
【００４７】
また、図３に拡大して示されるように、センター陸部６には、タイヤ周方向で隣り合う外側ミドル横溝５Ｂ、５Ｂ間の車両外側の外縁６ｏから、タイヤ周方向に対する角度α１ｃを漸減させながら湾曲してのび、かつタイヤ赤道Ｃ近傍において、一方の外側ミドル横溝５Ｂと交わるセンターサイプ１２が設けられる。このようなセンターサイプ１２は、センター陸部６の過度の剛性低下を抑制しつつ、タイヤ軸方向及びタイヤ周方向にエッジを利かせることができ、耐摩耗性能、及び氷上性能を向上しうる。
【００４８】
図１に示されるように、前記外側ミドル陸部７Ａは、内側ミドル陸部７Ｂよりも大きな陸部幅Ｗ３ｂを有する。このような外側ミドル陸部７Ａは、車両外側のランド比を確実に大きくすることができ、ドライ路面での操縦安定性能、耐偏摩耗性能、及び耐摩耗性能を向上しうる。好ましくは、外側ミドル陸部７Ａの陸部幅Ｗ３ｂと内側ミドル陸部７Ｂの陸部幅Ｗ３ｃとの比（Ｗ３ｂ／Ｗ３ｃ）は、１０５〜１３０％程度が望ましい。
【００４９】
また、外側ミドル陸部７Ａは、図３に示されるように、外側ショルダー横溝５Ａの内端５Ａｉと外側ミドル横溝５Ｂの外端５Ｂｏとを繋ぐ外側ミドル細溝１３が設けられる。これにより、外側ミドル陸部７Ａは、外側ショルダー横溝５Ａ、外側ミドル横溝５Ｂ、及び外側ミドル細溝１３によって区分される外側ミドルブロック１５がタイヤ周方向に隔設される。
【００５０】
前記外側ミドル細溝１３は、外側ショルダー横溝５Ａ及び外側ミドル横溝５Ｂとはタイヤ周方向に対して逆方向へ傾斜してのび、かつ外側ショルダー横溝５Ａ及び外側ミドル横溝５Ｂよりも溝幅が小に形成される。
【００５１】
このような外側ミドル細溝１３は、タイヤ周方向及びタイヤ軸方向に対してエッジをバランスよく利かせることができ、氷上性能を向上しうる。さらに、外側ミドル細溝１３の両溝壁は、外側ミドル陸部７Ａの接地圧が大きくなる旋回時において、路面からの横力によって互いに接触し、タイヤ周方向で隣り合う外側ミドルブロック１５、１５を互いに支持させることができる。従って、外側ミドル陸部７Ａの剛性を高めることができ、ドライ路面での操縦安定性能、耐偏摩耗性能、及び耐摩耗性能を向上しうる。好ましくは、前記外側ミドル細溝１３の長さＬ４が２．０〜８．０mmが望ましい。
【００５２】
なお、前記外側ミドル細溝１３の長さＬ４が２．０mm未満であると、十分なエッジを発揮できないおそれがある。逆に、前記外側ミドル細溝１３の長さＬ４が８．０mmを超えると、外側ショルダー横溝５Ａと外側ミドル横溝５Ｂとが大きく離間し、排水性能が低下するおそれがある。このような観点より、前記長さＬ４は、より好ましくは４．０mm以上が望ましく、また、より好ましくは７．０mm以下が望ましい。
【００５３】
さらに、外側ミドル細溝１３のタイヤ周方向に対する角度α２ａは、２０〜４０度が望ましい。前記角度α２ａが２０度未満であると、タイヤ周方向に対してエッジを十分に発揮できないおそれがある。逆に、前記角度α２ａが４０度を超えても、タイヤ軸方向に対してエッジを十分に発揮できないおそれがある。このような観点より、前記角度α２ａは、より好ましくは２５度以上が望ましく、より好ましくは３７度以下が望ましい。
【００５４】
また、前記外側ミドルブロック１５には、その車両内側の内縁１５ｉから車両外側へのびる外側ミドルサイプ１６が設けられる。この外側ミドルサイプ１６は、前記内縁１５ｉのタイヤ周方向の略中心から、外側ミドル横溝５Ｂの角度α１ｂ（図１に示す）と同一の角度α２ｂで傾斜して直線状にのび、かつ外側ミドル陸部７Ａに車両外側の外端１６ｏを有して終端する。このような外側ミドルサイプ１６は、外側ミドルブロック１５の剛性低下を抑制しつつ、氷上性能を向上しうる。
【００５５】
図１に示されるように、前記内側ミドル陸部７Ｂは、タイヤ周方向に直線状にのびるストレートリブからなる。このような内側ミドル陸部７Ｂは、上述のように陸部幅Ｗ３ｃが外側ミドル陸部７Ａの陸部幅Ｗ３ｂに比べて小に形成されても、その横剛性を十分に維持することができ、ドライ路面での操縦安定性能を向上しうる。
【００５６】
また、内側ミドル陸部７Ｂは、図４に拡大して示されるように、タイヤ周方向に連続してのびる内側ミドル副溝１８、内側ミドル副溝１８と内側センター縦溝３Ｂとの間をタイヤ周方向に対して傾斜してのびる内側ミドルサイプ２１、タイヤ周方向に隣り合う前記内側ミドルサイプ２１、２１間に、内側センター縦溝３Ｂから車両内側にのびる内側ミドルスロット１９、及び該内側ミドルスロット１９の車両内側の内端１９ｉから車両内側に傾斜してのびる延長サイプ２０が設けられる。これにより、内側ミドル陸部７Ｂは、内側ミドル副溝１８の車両内側に、サイプ等が配置されない内側ミドル細リブ２５が形成される。
【００５７】
前記内側ミドル副溝１８は、内側ミドル陸部７Ｂの幅方向の中心よりも車両内側でタイヤ周方向に連続してのびる。このような内側ミドル副溝１８は、内側ミドル陸部７Ｂと路面との間の水膜をタイヤ周方向に円滑に案内しうるとともに、タイヤ周方向のエッジを発揮させることができ、排水性能、及び氷上性能を向上しうる。好ましくは、内側ミドル副溝１８の溝幅Ｗ５ａが、内側ミドル陸部７Ｂの陸部幅Ｗ３ｃ（図１に示す）の５〜１０％程度、溝深さＤ５ａ（図２に示す）が１〜４mm程度が望ましい。
【００５８】
前記内側ミドルサイプ２１は、内側センター縦溝３Ｂから内側ミドル副溝１８に向かって、タイヤ周方向に対する角度α３ａを漸増させながら傾斜してのびる。このような内側ミドルサイプ２１は、タイヤ周方向からタイヤ軸方向に対してそのエッジを発揮させることができ、氷上性能を向上しうる。
【００５９】
好ましくは、前記内側ミドルサイプ２１の前記角度α３ａは、２０〜６０度が望ましい。前記角度α３ａが２０度未満であると、タイヤ周方向に対して十分にエッジを発揮させることができず、氷上性能を十分に向上できないおそれがある。逆に、前記角度α３ａが６０度を超えても、タイヤ軸方向に対して十分にエッジを発揮させることができないおそれがある。このような観点より、前記角度α３ａは、より好ましくは３０度以上が望ましく、また、より好ましくは５０度以下が望ましい。
【００６０】
前記内側ミドルスロット１９は、タイヤ周方向で隣り合う内側ミドルサイプ２１、２１間のタイヤ周方向の略中心から、タイヤ周方向に対して例えば２０〜６０度の角度α３ｂで傾斜してのび、かつ内側ミドル副溝１８に至ることなく終端する。また、内側ミドルスロット１９は、内側ミドル縦溝３Ｂから車両内側の内端１９ｉにかけて、溝幅Ｗ５ｂ及び溝深さＤ５ｂ（図２に示す）が漸減する。
【００６１】
このような内側ミドルスロット１９は、内側ミドル陸部７Ｂの剛性低下を抑制しつつ、排水性能及び雪上性能を向上しうる。好ましくは、内側ミドルスロット１９の溝幅Ｗ５ｂが５〜９mm程度、溝深さＤ５ｂが５〜９mm程度が望ましい。
【００６２】
前記延長サイプ２０は、内側ミドルスロット１９の内端１９ｉから、該内側ミドルスロット１９の角度α３ｂと略同一範囲の角度α３ｃで傾斜してのび、かつその車両内側の内端２０ｉが内側ミドル副溝１８に至ることなく終端する。このような延長サイプ２０は、内側ミドル陸部７Ｂの剛性低下を抑制しつつ、氷上性能を向上しうる。
【００６３】
前記内側ミドル細リブ２５は、内側ミドル副溝１８の車両内側でタイヤ周方向に連続してのびる。このような内側ミドル細リブ２５は、車両内側の横剛性を高めることができ、ドライ路面での操縦安定性能を向上しうる。好ましくは、内側ミドル細リブ２５のリブ幅Ｗ５ｃと、内側ミドル陸部７Ｂの陸部幅Ｗ３ｃとの比（Ｗ５ｃ／Ｗ３ｃ）は、２０〜４０％が望ましい。
【００６４】
なお、前記比（Ｗ５ｃ／Ｗ３ｃ）が２０％未満であると、横剛性を十分高めることができず、操縦安定性能、耐摩耗性能、及び耐偏摩耗性能を十分に維持できないおそれがある。逆に、前記比（Ｗ５ｃ／Ｗ３ｃ）が４０％を超えても、内側ミドルサイプ２１や内側ミドルスロット１９が小さくなり、排水性能、雪上性能、及び氷上性能が低下するおそれがある。このような観点より、前記比（Ｗ５ｃ／Ｗ３ｃ）は、より好ましくは２５％以上が望ましく、また、より好ましくは３５％以下が望ましい。
【００６５】
図１に示されるように、前記外側ショルダー陸部８Ａは、内側ショルダー陸部８Ｂの陸部幅Ｗ３ｅよりも大きな陸部幅Ｗ３ｄを有する。このような外側ショルダー陸部８Ａは、旋回時に接地圧が大きくなる車両外側のトレッド部２において、ランド比を確実に大きくすることができ、ドライ路面での操縦安定性能、耐偏摩耗性能、及び耐摩耗性能を向上しうる。好ましくは、外側ショルダー陸部８Ａの陸部幅Ｗ３ｄと内側ショルダー陸部８Ｂの陸部幅Ｗ３ｅとの比（Ｗ３ｄ／Ｗ３ｅ）は、１０１〜１１０％程度が望ましい。
【００６６】
また、外側ショルダー陸部８Ａは、前記外側ショルダー横溝５Ａによって区分される外側ショルダーブロック２２がタイヤ周方向に隔設される。この外側ショルダーブロック２２には、図３に拡大して示されるように、外側ショルダー縦溝４Ａ側でタイヤ周方向にのびる周方向サイプ２３と、車両外側のトレッド接地端２ｔから車両内側へ傾斜してのびる外側ショルダーサイプ２４とが設けられる。
【００６７】
前記周方向サイプ２３は、そのタイヤ周方向の両端が、タイヤ周方向に隣り合う外側ショルダー横溝５Ａ、５Ａにそれぞれ達することなく終端する。このような周方向サイプ２３は、外側ショルダー陸部８Ａの車両内側の剛性を緩和して、周方向の剛性段差を小さくしうるとともに、タイヤ周方向のエッジを発揮でき、耐偏摩耗性能、及び氷上性能を向上しうる。
【００６８】
さらに、周方向サイプ２３は、外側ショルダー陸部８Ａの車両内側の内縁８Ａｉからタイヤ軸方向外側に２〜１４mm隔てた領域Ｔに２本以上（本例では２本）形成されるのが望ましい。これにより、周方向サイプ２３は、タイバー９ａの長さＬ２ａと同じ長さを有する領域Ｔに複数配置されるため、前記タイバー９との相乗効果により、外側ショルダー陸部８Ａの車両内側における周方向の剛性段差をより小さくでき、偏摩耗の発生をさらに抑制しうる。
【００６９】
前記外側ショルダーサイプ２４は、車両外側のトレッド接地端２ｔから車両内側へ、外側ショルダー横溝５Ａの角度α１ａ（図１に示す）と同一範囲の角度α４ａで傾斜してのびる。このような外側ショルダーサイプ２４は、タイヤ軸方向のエッジを発揮させることができ、氷上性能を向上しうる。
【００７０】
また、外側ショルダーサイプ２４の内端２４ｉは、周方向サイプ２３、及び外側ショルダー縦溝４Ａに至ることなく終端する。このような外側ショルダーサイプ２４は、外側ショルダー陸部８Ａの剛性低下を抑制しうる。
【００７１】
図１に示されるように、前記内側ショルダー陸部８Ｂは、車両内側のトレッド接地端２ｔ側をタイヤ周方向に直線状にのびるストレートリブからなる。このような内側ショルダー陸部８Ｂは、その横剛性を向上させることができ、操縦安定性能を向上しうる。好ましくは、内側ショルダー陸部８Ｂの陸部幅Ｗ３ｅは、トレッド接地幅ＴＷの１１〜１５％程度が望ましい。
【００７２】
また、内側ショルダー陸部８Ｂは、図４に示されるように、車両内側のトレッド接地端２ｔより車両外側に距離Ｌ５ａを隔てた内端２６ｉから車両外側にのびる内側ショルダー横溝２６、及びタイヤ周方向で隣り合う内側ショルダー横溝２６、２６間に、車両内側のトレッド接地端２ｔより車両外側に距離Ｌ６ａを隔てた内端２８ｉから車両外側にのびる内側ショルダー補助溝２８が設けられる。
【００７３】
前記内側ショルダー横溝２６は、前記内端２６ｉからタイヤ周方向に対して例えば６０〜９０度の角度α５ａで傾斜してのび、かつ内側ショルダー陸部８Ｂ内に車両外側の外端２６ｏを有して終端する。このような内側ショルダー横溝２６は、内側ショルダー陸部８Ｂの剛性低下を抑制しつつ、排水性能及び雪上性能を向上しうる。好ましくは、内側ショルダー横溝２６の溝幅Ｗ６がトレッド接地幅ＴＷ（図１に示す）の１〜３％程度、最大溝深さＤ６（図２に示す）が６〜１０mm程度が望ましい。
【００７４】
さらに、内側ショルダー横溝２６の前記距離Ｌ５ａは、２．５〜７．５mmが望ましい。前記距離Ｌ５ａが２．５mm未満であると、内側ショルダー陸部８Ｂの剛性を十分に維持できず、操縦安定性能、耐摩耗性能、及び耐偏摩耗性能を十分に維持できないおそれがある。逆に、前記距離Ｌ５ａが７．５mmを超えると、内側ショルダー横溝２６が短くなり、排水性能及び雪上性能を十分に維持できないおそれがある。同様に、内側ショルダー横溝２６の外端２６ｏと内側ショルダー縦溝４Ｂとの距離Ｌ５ｂは、好ましくは４mm以上が望ましく、また、好ましくは７mm以下が望ましい。
【００７５】
また、内側ショルダー横溝２６の外端２６ｏは、先細状に形成されるのが望ましい。これにより、内側ショルダー横溝２６は、内側ショルダー陸部８Ｂの剛性低下を最小限に抑えうる。
【００７６】
さらに、内側ショルダー陸部８Ｂには、内側ショルダー横溝２６の車両外側の外端２６ｏと内側ショルダー縦溝４Ｂとの間をのびる延長サイプ２７が設けられるのが望ましい。この延長サイプ２７は、内側ショルダー横溝２６の角度α５ａと同一範囲の角度α５ｂで傾斜してのび、排水性能及び氷上性能を向上するのに役立つ。
【００７７】
前記内側ショルダー補助溝２８は、前記内端２８ｉから内側ショルダー横溝２６の角度α５ａと同一範囲の角度α５ｃで傾斜してのび、かつ内側ショルダー陸部８Ｂ内に車両外側の外端２８ｏを有して終端する。このような内側ショルダー補助溝２８も、ドライ路面での操縦安定性能を維持しつつ、排水性能及び氷上性能を向上しうる。
【００７８】
好ましくは、内側ショルダー補助溝２８の前記距離Ｌ６ａは、８〜１５mmが望ましい。前記距離Ｌ６ａが８mm未満であると、操縦安定性能、耐摩耗性能、及び耐偏摩耗性能を十分に維持できないおそれがある。逆に、前記距離Ｌ５ａが１５mmを超えると、排水性能及び氷上性能を十分に維持できないおそれがある。同様に、内側ショルダー補助溝２８の外端２８ｏと内側ショルダー縦溝４Ｂとの距離Ｌ６ｂは、好ましくは３mm以上が望ましく、また、好ましくは６mm以下が望ましい。
【００７９】
以上、本発明の特に好ましい実施形態について詳述したが、本発明は図示の実施形態に限定されることなく、種々の態様に変形して実施しうる。
【実施例】
【００８０】
図１に示す基本構造をなし、表１に示す縦溝、横溝、及びサイプを有するタイヤが製造され、それらの性能が評価された。
また、比較として、図５（ａ）に示される内側ショルダー陸部がブロック状に区分されるとともに、内側ショルダー補助溝を有さないタイヤ（比較例１）、図５（ｂ）に示される外側ショルダー陸部がストレートリブからなるタイヤ（比較例２）、及び図５（ｃ）に示される内側ミドル副溝及び内側ミドルサイプのないタイヤ（比較例３）についても同様に評価された。なお、共通仕様は以下のとおりである。
トレッド接地幅ＴＷ：１９４mm
外側センター縦溝：
溝幅Ｗ１ａ：１１．４mm、最大溝深さＤ１ａ：９．５mm
内側センター縦溝：
溝幅Ｗ１ｂ：１０．４mm、最大溝深さＤ１ｂ：９．５mm
外側ショルダー縦溝：
溝幅Ｗ１ｃ：５．７mm、最大溝深さＤ１ｃ：９．５mm
内側ショルダー縦溝：
溝幅Ｗ１ｄ：９．５mm、最大溝深さＤ１ｄ：９．５mm
比（Ｗ１ａ／Ｗ１ｂ）：１０９．６％
比（Ｗ１ｃ／Ｗ１ａ）：５０．０％
内側ミドル副溝：
溝幅Ｗ５ａ：２mm、比（Ｗ５ａ／Ｗ３ｃ）：８．１％
溝深さＤ５ａ：２mm
外側ショルダー横溝：
溝幅Ｗ２：３．８mm、溝深さＤ２：７．５mm
角度α１ａ：６０〜９０度
内端の溝深さＤ２ｉ：７．５mm、外側ショルダー縦溝側の溝深さＤ２ｏ：４．３mm
比（Ｄ２ｉ／Ｄ２ｏ）：１７４．４％
外側ミドル横溝：
溝幅Ｗ３：３．８mm、溝深さＤ３：７．５mm
角度α１ｂ：５０〜７０度
タイバー：
高さＨ２ａ、Ｈ２ｂ、Ｈ２ｃ：３．８mm
長さＬ２ａ、Ｌ２ｂ、Ｌ２ｃ：７．６mm
センター陸部の陸部幅Ｗ３ａ：１１．４mm
外側ミドル陸部の陸部幅Ｗ３ｂ：２８．４mm
内側ミドル陸部の陸部幅Ｗ３ｃ：２４．６mm
外側ショルダー陸部の陸部幅Ｗ３ｄ：３６．０mm
内側ショルダー陸部の陸部幅Ｗ３ｅ：３５．１mm
比（Ｗ３ｂ／Ｗ３ｃ）：１１５．４％
比（Ｗ３ｄ／Ｗ３ｅ）：１０２．６％
テスト方法は、次の通りである。
【００８１】
＜排水性能＞
各供試タイヤ（タイヤサイズ：２２５／５５Ｒ１７）をリム（リムサイズ：１７×７．０ＪＪ）にリム組みし、内圧２３０ｋＰａ充填して、国産ＦＲ車（排気量４３００cc）の全輪に装着するとともに、水深５mmのアスファルト路面において、速度６０ｋｍからＡＢＳをオンとした条件でフルブレーキングを行い、制動距離が測定された。結果は、制動距離の逆数に関し、比較例１を１００とする指数で表示した。数値が大きいほど良好である。
【００８２】
＜耐摩耗性能＞
各供試タイヤ（タイヤサイズ：１９５／６５Ｒ１５）をリム（リムサイズ：１５×６．０ＪＪ）にリム組みし、内圧２３０ｋＰａ充填して、国産ＦＲ車（排気量２０００cc）の全輪に装着するとともに、乾燥アスファルト路面を８０００km走行し、外側センター縦溝、及び外側ショルダー縦溝の溝深さが測定された。測定は、各タイヤ周上３箇所で行なわれ、全ての平均値が求められた。結果は、各平均値に関し、比較例１の値を１００とする指数で表示している。数値が大きいほど良好である。
【００８３】
＜耐偏摩耗性能＞
各供試タイヤ（タイヤサイズ：１９５／６５Ｒ１５）をリム（リムサイズ：１５×６．０ＪＪ）にリム組みし、内圧２３０ｋＰａ充填して、国産ＦＲ車（排気量２０００cc）の全輪に装着するとともに、乾燥アスファルト路面を８０００km走行し、外側ミドル陸部、及び外側ショルダー陸部において、タイヤ軸方向の内縁と外縁との摩耗量の差が測定された。測定は、各タイヤ周上３箇所で行なわれ、全ての平均値が求められた。結果は、各平均値の逆数に関し、比較例１の値を１００とする指数で表示している。数値が大きいほど良好である。
【００８４】
＜操縦安定性能＞
各供試タイヤ（タイヤサイズ：２２５／５５Ｒ１７）をリム（リムサイズ：１７×７．０ＪＪ）にリム組みし、内圧２３０ｋＰａ充填して、国産ＦＲ車（排気量４３００cc）の全輪に装着するとともに、乾燥アスファルト路面のテストコースをドライバー１名乗車で走行した。ハンドル応答性、剛性感、及びグリップ等に関する特性が、ドライバーの官能評価により比較例１を１００とする評点で表示している。数値が大きいほど良好である。
【００８５】
＜氷雪上性能＞
各供試タイヤ（タイヤサイズ：２２５／５５Ｒ１７）をリム（リムサイズ：１７×７．０ＪＪ）にリム組みし、内圧２３０ｋＰａ充填して、国産ＦＲ車（排気量４３００cc）の全輪に装着するとともに、氷雪路タイヤテストコースを走行させ、直進安定性、制動安定性、ハンドル応答性、剛性感、グリップ等に関する特性をプロのドライバーの官能で評価された。結果は、比較例１を１００とする評点で表示している。数値が大きいほど良好である。
テストの結果を表１に示す。
【００８６】
【表１】
0005385968.tif 000002
0005385968.tif 000003
【００８７】
テストの結果、実施例のタイヤは、ドライ路面での操縦安定性能を維持しつつ、排水性能、雪上性能及び氷上性能を向上しうることが確認できた。
【符号の説明】
【００８８】
１      空気入りタイヤ
２      トレッド部
５Ａ    外側ショルダー横溝
７Ｂ    内側ミドル陸部
８Ａ    外側ショルダー陸部
８Ｂ    内側ショルダー陸部
２１      内側ミドルサイプ
２２      外側ショルダーブロック
２６      内側ショルダー横溝
２８      内側ショルダー補助溝
【図１】
0005385968.tif 000004
【図２】
0005385968.tif 000005
【図３】
0005385968.tif 000006
【図４】
0005385968.tif 000007
【図５】
0005385968.tif 000008